(57)【要約】      （修正有）【課題】光学デバイスを収納したまま光学面の外観検査を可能とすると共に、光学デバイスを容易に取り出すことが可能な光学デバイス梱包用ケースを提供する。【解決手段】下ケース６に四角形状の凹部７を形成し、その凹部にプリズム２を収納する。プリズムは、四角形の形状の凹部の各辺の中央部付近にプリズムの角部が当接するよう配置し、プリズムの各光学面と凹部の周壁との間に空隙８を設けている。また、凹部の深さは、プリズムの高さの１／２程度としている。従って、空隙を設けたこととあわせて、プリズムを下ケースに収納した状態で光学面の目視ができ、容易に外観検査が可能となる。また、空隙を設けたことから、プリズムを取り出したい場合に、ピンセットを用いて容易に取り出し可能となる。【選択図】図１
2008114876.tif 000002
【特許請求の範囲】
【請求項１】
光学デバイスを収納する光学デバイス用梱包ケースであって、
光学デバイスを収納する開口部の外形が矩形状の複数の凹部を有するケースを備え、
前記光学デバイスの角部が前記開口部の各辺の略中央に当接するよう前記光学デバイスを配置し、
前記光学デバイスの光学面と前記凹部の周壁との間に所定の空隙を設けたことを特徴とする光学デバイス用梱包ケース。
【請求項２】
光学デバイスを収納する光学デバイス用梱包ケースであって、
光学デバイスを収納する開口部の外形が円形状の複数の凹部を有するケースを備え、
前記光学デバイスの角部が前記開口部の円周に当接するよう前記光学デバイスを配置し、
前記光学デバイスの光学面と凹部の円周壁との間に所定の空隙を設けたことを特徴とする光学デバイス用梱包ケース。
【請求項３】
光学デバイスを収納する光学デバイス用梱包ケースであって、
光学デバイスを収納する開口部の外形が多角形状の複数の凹部を有するケースを備え、
前記凹部の一側壁に前記光学デバイスの一つの面を当接させ、該一つの面を含まない前記光学デバイスの角部を前記開口部の各辺の略中央に当接するよう前記光学デバイスを配置し、
前記一つの面を含まない前記光学デバイスの光学面と前記凹部の周壁との間に所定の空隙を設けたことを特徴とする光学デバイス用梱包ケース。
【請求項４】
前記凹部の深さを前記光学デバイスの高さより浅くしたことを特徴とする請求項１乃至請求項３の何れか１項に記載の光学デバイス用梱包ケース。
【請求項５】
前記光学デバイスがプリズムであることを特徴とする請求項１乃至請求項４の何れか１項に記載の光学デバイス用梱包ケース。
【請求項６】
前記複数の凹部は、縦横方向に所定間隔を持って規則的に配列されていることを特徴とする請求項１乃至請求項５の何れか１項に記載の光学デバイス用梱包ケース。
【請求項７】
前記複数の凹部は、少なくとも一方向の凹部が連結していることを特徴とする請求項１乃至請求項５の何れか１項に記載の光学デバイス用梱包ケース。
【請求項８】
前記複数の凹部が、縦横方向に隣接して配置されていることを特徴とする請求項１乃至請求項５の何れか１項に記載の光学デバイス用梱包ケース。
【発明の詳細な説明】
【技術分野】
【０００１】
本発明は光学デバイス用梱包ケースに関し、特にプリズムなどの光学デバイスを梱包するのに好適なものである。
【背景技術】
【０００２】
光学デバイスは、光線が入出射する光学面を汚損しないことが重要であり、光学面には、ゴミ、ホコリ等が付着しないように配慮することが求められている。従来、光学デバイスを梱包する手段としては、箱型ケースの下ケース内部に設けた所定形状の複数の凹部に光学デバイスを収納し、蓋からなる上ケースを被せた構造の梱包ケースが使用されていた。
【０００３】
図１２は従来の光学デバイス用梱包ケースの下ケースの構造例を示す図である。
図１２は箱型の光学デバイス用梱包ケースの蓋を外した状態の下ケースの斜視図を示している。下ケース１は、光学デバイスとしてプリズム２を収納した状態を示し、複数形成された凹部３に、それぞれプリズム２が配置されている。
図１３は凹部にプリズムが配置された様子を示す概略図を示し、（ａ）は凹部の上面図、（ｂ）、（ｃ）、（ｄ）、（ｅ）は側面図である。
下ケース１には、プリズム２の形状に合わせてプリズム２の外形寸法よりやや大きめの凹部３が形成され、所定の寸法の隙間を介してプリズム２が収納されている。なお、図中の▽はプリズムの砂面４を示し、この面には、光線が入出射しない。
【０００４】
一方、光学デバイス用梱包ケースの従来例としては、特許文献１に示した公報や、特許文献２に示した公報により開示された構造を有するものがある。
特許文献１によれば、光学デバイス用梱包ケースは、上部が開口し、該開口部に光学デバイスを収納する収納部が複数形成された下ケースと、前記光学デバイスを被覆する上ケースとにより構成し、前記下ケースの各収納部の底面には、凹部が形成されており、該凹部の上面を横架するように両面接着テープが貼り付けられ、該両面接着テープの上部に前記光学デバイスを貼り付けたものである。従って、各収納部の底面に貼り付けられた両面接着テープにより、光学デバイスの一側面が接着されるため、輸送時等において光学デバイスが遊動することを防止する。
【０００５】
特許文献２によれば、光学デバイス用梱包ケースは、光学デバイスを搭載し、被覆してなる構造を有し、光学デバイス用梱包ケースは、周壁とこの周壁の一部に連結されてなる主面とを備えている。前記周壁は、段差部を介して、大きな開口部と小さな開口部が高さ方向に形成されており、前記主面には、光学デバイスを収納する凹部が形成されている。そこで、光学デバイス用梱包ケースを少なくとも２つ用意し、上側の光学デバイス用梱包ケースの大きな開口部に、下側の光学デバイス用梱包ケースの小さな開口部を挿入して、下側の光学デバイス用梱包ケースあるいは上側の光学デバイス用梱包ケースの段差部に係止させることで、お互いを段重ね一体化してなる構造である。従って、光学デバイス用梱包ケースは、少なくとも１種類のケースを２つ用意するだけで、光学デバイスを搭載収納する下ケースとしての役割と、光学デバイスを被覆する上ケースとしての役割を兼ね備えることができることを特徴としている。
【特許文献１】特開２０００−２９６８９４公報
【特許文献２】特開２００３−２００９９１公報
【発明の開示】
【発明が解決しようとする課題】
【０００６】
ところで、光学デバイスの製造工程では、光学デバイスの光学面に傷や汚れなどが付着することがあるため、図１３に示すように光学デバイスを梱包ケースの下ケース１に収納した後、光学デバイス２の光学面の外観検査を行うようにしていた。
しかしながら、従来の梱包ケースは、光学デバイスを収納する下ケース１の凹部３が光学デバイス２の外形寸法より僅かに大きい形状であるため、図１４に示すように光学デバイス２と凹部３の周壁との隙間Ｇが狭い。このため、光学デバイス２を梱包ケースの下ケース１に収納したままの状態では光学デバイス２の光学面の外観検査を行うことができない。
このため、図１４に示すようにピンセット５等を用いて光学デバイス２を下ケース１の凹部３から個々に取り出して外観検査を行うようにしていたため、検査工数が増大し、光学デバイス２のコスト高を招くという問題点があった。
【０００７】
また、光学デバイス２と下ケース１の凹部３の周壁との隙間Ｇが狭いため、図１４に示すようにピンセット５を用いて下ケース１の凹部３から光学デバイス２を取り出すことが困難であるという問題点があった。
本発明は、上述したような問題を解決するためになされたものであって、光学デバイスを収納したままの状態で光学面の外観検査を容易に行うことができる光学デバイス用梱包ケースを提供することを目的とする。また、光学デバイスを容易に取り出すことが可能な光学デバイス用梱包ケースを提供することを目的とする。
【課題を解決するための手段】
【０００８】
上記目的を達成するために本発明に係る光学デバイス用梱包ケースは、光学デバイスを収納する光学デバイス用梱包ケースであって、光学デバイスを収納する開口部の外形が矩形状の複数の凹部を有するケースを備え、前記光学デバイスの角部が前記開口部の各辺の略中央に当接するよう前記光学デバイスを配置し、前記光学デバイスの光学面と前記凹部の周壁との間に所定の空隙を設けたことを特徴とする。
これによれば、光学デバイス用梱包ケースは、ケースに形成した多角形の凹部に光学デバイスを収納した際に、光学デバイスと凹部の周壁との間に空隙が形成されるので、光学デバイスを凹部に収納したまま光学デバイスの光学面を目視することができ、光学デバイスの外観検査を容易に行うことが可能である。また、光学デバイスの角部のみが凹部の周壁に当接するので、光学デバイスの光学面に汚れの付着などが生じにくい。また光学デバイスと凹部周壁との間に空隙が形成されるので、光学デバイスを凹部よりピンセットなどを用いて容易に取り出すことが可能である。
【０００９】
本発明に係る光学デバイス用梱包ケースは、光学デバイスを収納する光学デバイス用梱包ケースであって、光学デバイスを収納する開口部の外形が円形状の複数の凹部を有するケースを備え、前記光学デバイスの角部が前記開口部の円周に当接するよう前記光学デバイスを配置し、前記光学デバイスの光学面と凹部の円周壁との間に所定の空隙を設けたことを特徴とする。
これによれば、光学デバイス用梱包ケースは、ケースに形成した円形の凹部に光学デバイスを収納した際に、光学デバイスと凹部の円周壁との間に空隙が形成されるので、光学デバイスを円形の凹部に収納したまま光学デバイスの光学面を目視することができ、光学デバイスの外観検査を容易に行うことが可能である。また、光学デバイスの角部のみが凹部の円周壁に当接するので、光学デバイスの光学面に汚れの付着などが生じにくい。また、光学デバイスと凹部の円周壁との間に空隙が形成されるので、光学デバイスを凹部よりピンセットなどを用いて容易に取り出すことが可能である。
【００１０】
本発明に係る光学デバイス用梱包ケースは、光学デバイスを収納する光学デバイス用梱包ケースであって、光学デバイスを収納する開口部の外形が多角形状の複数の凹部を有するケースを備え、前記凹部の一側壁に前記光学デバイスの一つの面を当接させ、該一つの面を含まない前記光学デバイスの角部を前記開口部の各辺の略中央に当接するよう前記光学デバイスを配置し、前記一つの面を含まない前記光学デバイスの光学面と前記凹部の周壁との間に所定の空隙を設けたことを特徴とする。
これによれば、光学デバイス用梱包ケースは、ケースに形成した多角形状の凹部に光学デバイスを収納した際に、光学デバイスと凹部と周壁との間に空隙が形成されるので、光学デバイスを多角形状の凹部に収納したまま光学デバイスの光学面を目視することができ、光学デバイスの外観検査が容易に行うことが可能である。また、光学デバイスの砂面全面を多角形状を有する凹部の一辺に当接させたので、輸送時などに振動が光学デバイス用梱包ケースに加わっても光学デバイスが回転することを防止する。また、光学デバイスの砂面のみが凹部の周壁に当接し、光学デバイスの光学面は、角部のみが凹部の周壁に当接するので、光学デバイスの光学面に汚れの付着などが生じにくい。また、光学デバイスと凹部と周壁との間に空隙が形成されるので、光学デバイスを凹部よりピンセットなどを用いて容易に取り出すことが可能である。
【００１１】
本発明に係る光学デバイス用梱包ケースは、凹部の深さを光学デバイスの高さより浅くしたことを特徴とする。これによれば、光学デバイスを凹部に収納したまま光学デバイスの光学面を目視することができ、光学デバイスの外観検査をより容易に行うことが可能である。また光学デバイスを凹部より容易に取り出すことが可能である。
【００１２】
本発明に係る光学デバイス用梱包ケースは、光学デバイスがプリズムであることを特徴としている。これによれば、光学デバイスが砂面を有している場合、この砂面全面を凹部の一辺に当接させることができ、光学デバイス用梱包ケースの輸送中などに振動が加わった際に、光学デバイスが回転することを防止できる。
【００１３】
本発明に係る光学デバイス用梱包ケースは、複数の凹部が縦横方向に所定間隔を持って規則的に配列されていることを特徴とする。これによれば、光学デバイス用梱包ケースに複数の光学デバイスを収納することが可能となる。
【００１４】
本発明に係る光学デバイス用梱包ケースは、複数の凹部が、少なくとも一方向の凹部が連結していることを特徴とする。これによれば、凹部の配置効率を高めることができるため、光学デバイス用梱包ケースにより多くの光学デバイスを収納することが可能となる。
【００１５】
本発明に係る光学デバイス用梱包ケースは、複数の凹部が、縦横方向に隣接して配置されていることを特徴とする。これによれば、凹部の配置効率を高めることができるため、光学デバイス用梱包ケースにより多くの光学デバイスを収納することが可能となる。
【発明を実施するための最良の形態】
【００１６】
以下、本実施形態に基づいて本発明を詳細に説明する。
本実施形態においては、光学デバイス用梱包ケースの構成品である下ケースの構造を改良した。即ち、光学デバイスを下ケースに形成した凹部に収納した際に、光学デバイスと凹部周壁との隙間を広げるために凹部において、開口部の外形を多角形、または円形とした。そして、多角形の場合は光学デバイスの角部が多角形の辺の中央部付近に当接するよう配置した。これにより、光学デバイスの光学面と凹部周壁との隙間が広がり、光学デバイスを光学デバイス用梱包ケースから容易に取り出すことが可能になる。
【００１７】
また光学デバイスの光学面と凹部周壁との隙間が広がったことで凹部に光学デバイスを収納した状態で光学デバイスの光学面を目視にて確認することができる。これにより、光学デバイスを下ケースから取り出すことなしに光学面の外観検査が可能となる。さらに、下ケースに形成した凹部の深さを光学デバイスより浅くすることで、光学デバイスを下ケースから取り出すことなしに光学面の外観検査を容易に行うことが可能になる。
さらにまた、光学デバイスの砂面（光線が入出射しない面）は、傷や汚れなどの問題が生じないので、前記凹部を奇数角の多角形とした場合は、光学デバイスを、多角形の凹部の一側壁に砂面全体を当接させるよう配置した。これにより、光学デバイスが輸送時などにおいて回転するのを防止することも可能になる。
【００１８】
図１は、本発明の第１の実施形態に係る光学デバイス用梱包ケースの下ケースに形成した凹部の構造を示した図であり、（ａ）は凹部の上面図、（ｂ）（ｃ）（ｄ）（ｅ）は側面図である。なお、本実施形態では光学デバイスとしてプリズム２を例に挙げて説明する。
この図１に示す下ケース６の凹部７は四角形状（矩形形状）である。プリズム２は凹部７の各辺の略中央部にプリズム２の角部が当接するよう配置し、プリズム２の各光学面と凹部７の周壁との間に空隙８を設けるようにした。このようにプリズム２の各光学面と凹部７の周壁との間に空隙８を設けたことにより、プリズム２を下ケース６に収納した状態で光学面を目視にて確認することが可能になるため、プリズム２を下ケース６に収納した状態でプリズム２の外観検査を行うことが可能になる。また空隙８を設けたことによりプリズム２を取り出したい場合にピンセットを用いて容易に取り出すことが可能となる。
また本実施形態では下ケース６に形成した凹部７の深さをプリズム２の高さより浅くした。例えば下ケース６に形成した凹部７の深さをプリズム２の高さの１／２程度まで浅くした。このようにすると空隙８を設けたことと併せてプリズム２を下ケース６に収納した状態で光学面を目視にて容易に外観検査を行うことが可能になる。
【００１９】
次に、第１の実施形態の変形例について説明する。
図２は、第１の実施形態に係る凹部の構造の変形例１を示した図であり、（ａ）は凹部の上面図、（ｂ）（ｃ）（ｄ）（ｅ）は側面図である。本変形例１は、凹部の底部に粘着剤、ゲル、粘着テープ等を設けて、プリズムを固定したものである。図２に示す如く、プリズム２は、凹部７内に塗布した粘着剤９により固定される。また、（ａ）は、透視図を示し、凹部底面と対向するプリズム２の底面が光学面である場合には、プリズム２の底面の光学有効領域（光学面）１０を避けて粘着剤９は、塗布される。
図３は、第１の実施形態に係る凹部の構造の変形例２を示した図であり、（ａ）は凹部の上面図、（ｂ）（ｃ）（ｄ）（ｅ）は側面図である。本変形例２は、凹部７において、更に第２の凹部１１を設けて、該第２の凹部１１でプリズムを固定したものである。
【００２０】
次に、本発明の第２の実施形態に係る光学デバイス用梱包ケースについて説明する。
図４は、本発明の第２の実施形態に係る光学デバイス用梱包ケースの下ケースに形成した凹部の構造を示した図であり、（ａ）は凹部の上面図、（ｂ）（ｃ）（ｄ）（ｅ）は側面図である。なお、図１と同一部位には同一符号を付して詳細な説明は省略する。この図４に示す下ケース１２の凹部１３は円形状である。このため、プリズム２の角部が凹部１３の円周壁に当接することになる。これによりプリズム２の各光学面と凹部１３の周壁との間に空隙１４を設けるようにした。このようにプリズム２の各光学面と凹部１３の周壁との間に空隙１４を設けたことにより、プリズム２を下ケース１２に収納した状態で光学面を目視にて確認することが可能になるため、上記同様、プリズム２を下ケース１２に収納した状態でプリズム２の外観検査を行うことが可能になる。また空隙１４を設けたことによりプリズム２を取り出したい場合にピンセットを用いて容易に取り出すことが可能となる。
またこの場合も下ケース１２に形成した凹部１３の深さをプリズム２の高さの１／２程度まで浅くすると、空隙１４を設けたことと併せてプリズム２を下ケース１２に収納した状態で光学面を目視にて容易に外観検査を行うことが可能になる。
【００２１】
次に、第２の実施形態の変形例について説明する。
図５は、第２の実施形態に係る凹部の構造の変形例１を示した図であり、（ａ）は凹部の上面図、（ｂ）（ｃ）（ｄ）（ｅ）は側面図である。本変形例１は、凹部の底部に粘着剤、ゲル、粘着テープ等を設けて、プリズムを固定したものである。図５に示す如く、プリズム２は、凹部１３内に塗布した粘着剤９により固定される。また、（ａ）は、透視図を示し、プリズム２の光学有効領域（光学面）１０を避けて粘着剤９は、塗布される。
図６は、第２の実施形態に係る凹部の構造の変形例２を示した図であり、（ａ）は凹部の上面図、（ｂ）（ｃ）（ｄ）（ｅ）は側面図である。本変形例２は、凹部１３において、更に第２の凹部１５を設けて、該第２の凹部１５でプリズムを固定したものである。
【００２２】
次に本発明の第３の実施形態に係る光学デバイス用梱包ケースについて説明する。
第３の実施形態は、下ケースに形成した凹部の形状を多角形（五角形）とし、光学デバイスを五角形の凹部の一辺に光学デバイスの砂面全体を当接させるよう配置し、光学デバイスが輸送時などにおいて回転することを防止したものである。
図７は、本発明の第３の実施形態に係る光学デバイス用梱包ケースの下ケースに形成した凹部の構造を示した図であり、（ａ）は凹部の上面図、（ｂ）（ｃ）（ｄ）（ｅ）は側面図である。
【００２３】
この図７に示す下ケース１６の凹部１７は五角形状である。プリズム２は、第１の光学面１８と第２の光学面１９と第３の光学面２０と砂面２１とを有している。なお、砂面２１とは光線が入出射しない面である。そして、プリズム２は、五角形の凹部１７の第１の辺２２の中央付近にプリズム２の第１の角部２３が当接するように、また五角形の凹部１７の第２の辺２４の中央付近にプリズム２の第２の角部２５が当接するように、またプリズムの砂面２１が五角形の凹部１７の第３の辺２６の全体に当接するように配置した。これにより、プリズム２の第１の光学面１８、第２の光学面１９、及び第３の光学面２０の各々と、凹部１７の周壁との間に空隙２７を設けるようにした。このようにプリズム２の各光学面１８、１９、２０と凹部１７の周壁との間に空隙２７を設けたことにより、プリズム２を下ケース１６に収納した状態で光学面を目視にて確認することが可能になるため、上記同様、プリズム２を下ケース１６に収納した状態でプリズム２の外観検査を行うことが可能になる。また空隙２７を設けたことによりプリズム２を取り出したい場合にピンセットを用いて容易に取り出すことが可能となる。
【００２４】
さらに、この場合は砂面２１が凹部１７の第３の辺２６全体に当接しているので、下ケース１６に輸送中などにおいて振動が加わってもプリズム２が回転することはない。
また下ケース１６に形成した凹部１７の深さを浅くして、プリズム２の高さの１／２程度とすることで、前記空隙２７とあわせてプリズム２を下ケース１６に収納した状態でプリズム２の光学面の目視ができ、容易に外観検査が可能となる。
なお、本実施形態においては、下ケースに形成した多角形の凹部の形状が、四角形と五角形の場合について説明したが、凹部の形状はこれに限らず他の多角形の形状においても適用可能である。また、光学デバイスについても、各実施形態において説明したプリズムに限定せず、他の光学部品にも適応可能である。
【００２５】
次に、光学デバイス用梱包ケースの下ケースに形成した複数の凹部の配置方法について説明する。なお、以下に説明する複数の凹部の配置方法は凹部の形状が五角形の場合である。
図８は、本発明に係る光学デバイス用梱包ケースの下ケースに形成した凹部の第１の配列例を示した図である。
下ケース２８は、複数の凹部２９を形成しており、所定の間隔で下ケース２８の横方向と縦方向に規則正しく凹部２９を配置している。なお、図８は凹部２９にプリズム２を収納した状態を示している。このように複数の凹部２９を下ケース２８の縦横方向に所定間隔を持って規則的に配列すれば、下ケース２８に複数のプリズム２を収納することが可能となる。
【００２６】
図９は、本発明に係る光学デバイス用梱包ケースの下ケースに形成した凹部の第２の配列例を示した図である。
下ケース３０は、複数の凹部３１を形成しており、下ケース３０の横方向に配置した凹部３１は、五角形の辺の一部を重ね合わせて個々の凹部を連結した構造である。更に、所定の間隔で縦方向に前記連結した凹部３１を配置している。このような配列によれば、下ケース３０の横方向のスペース効率が高まり、光学デバイス用梱包ケースにより多くの光学デバイスを収納することが可能となる。なお、図９は、凹部３１にプリズム２を収納した状態を示している。
【００２７】
図１０は、本発明に係る光学デバイス用梱包ケースの下ケースに形成した凹部の第３の配列例を示した図である。
下ケース３２は、下ケース３２の横方向に配置した凹部を五角形の辺の一部を重ね合わせて個々の凹部を連結するとともに、下ケース３２の縦方向に配置した凹部も、五角形の辺の一部を重ね合わせて個々の凹部を連結した構造の凹部３３を形成している。このような配列によれば、下ケース３２の横方向と縦方向のスペース効率が高まり、光学デバイス用梱包ケースにより多くの光学デバイスを収納することが可能となる。なお、図９は、凹部３３にプリズム２を収納した状態を示している。
【００２８】
図１１は、本発明に係る光学デバイス用梱包ケースの下ケースに形成した凹部の第４の配列例を示した図である。
下ケース３４は、複数の凹部３５を形成しており、凹部３５は、隣接する凹部３５間のスペースを埋めるように縦、横方向に可能な限り近接して配置している。従って、このような配列によれば、下ケース３４の横方向及び縦方向のスペース効率が高まり、光学デバイス用梱包ケースにより多くの光学デバイスを収納することが可能となる。なお、図１１は凹部３５にプリズム２を収納した状態を示している。
【００２９】
なお、上述した各実施形態においては、下ケースに形成した凹部を五角形の形状としたが、これは一例に過ぎず、凹部をその他の多角形、或いは、円形などの場合においても同様に多種の配列方法が可能である。
また、本実施形態では、下ケースに形成した凹部の深さをプリズムの高さより浅くした場合を例に挙げたが、これはあくまでも一例であり、凹部の深さとプリズムの高さを同じ、或いは凹部の深さをプリズムの高さより深くしても良い。
【図面の簡単な説明】
【００３０】
【図１】本発明の第１の実施形態に係る光学デバイス用梱包ケースの下ケースに形成した凹部の構造を示した図である。
【図２】第１の実施形態に係る凹部の構造の変形例１を示した図である。
【図３】第１の実施形態に係る凹部の構造の変形例２を示した図である。
【図４】本発明の第２の実施形態に係る光学デバイス用梱包ケースの下ケースに形成した凹部の構造を示した図である。
【図５】第２の実施形態に係る凹部の構造の変形例１を示した図である。
【図６】第２の実施形態に係る凹部の構造の変形例２を示した図である。
【図７】本発明の第３の実施形態に係る光学デバイス用梱包ケースの下ケースに形成した凹部の構造を示した図である。
【図８】本発明に係る光学デバイス用梱包ケースの下ケースに形成した凹部の第１の配列例を示した図である。
【図９】本発明に係る光学デバイス用梱包ケースの下ケースに形成した凹部の第２の配列例を示した図である。
【図１０】本発明に係る光学デバイス用梱包ケースの下ケースに形成した凹部の第３の配列例を示した図である。
【図１１】本発明に係る光学デバイス用梱包ケースの下ケースに形成した凹部の第４の配列例を示した図である。
【図１２】従来の光学デバイス用梱包ケースの下ケースの構造例を示す図である。
【図１３】凹部にプリズムが配置された様子を示す概略図である。
【図１４】従来の光学デバイス用梱包ケースの下ケースから光学デバイスを取り出す様子を示す図である。
【符号の説明】
【００３１】
１・・下ケース、２・・プリズム、３・・凹部、４・・砂面、５・・ピンセット、６・・下ケース、７・・凹部、８・・空隙、９・・粘着剤、１０・・光学有効領域、１１・・第２の凹部、１２・・下ケース、１３・・凹部、１４・・空隙、１５・・第２の凹部、１６・・下ケース、１７・・凹部、１８・・第１の光学面、１９・・第２の光学面、２０・・第３の光学面、２１・・砂面、２２・・第１の辺、２３・・第１の角部、２４・・第２の辺、２５・・第２の角部、２６・・第３の辺、２７・・空隙、２８・・下ケース、２９・・凹部、３０・・下ケース、３１・・凹部、３２・・下ケース、３３・・凹部、３４・・下ケース、３５・・凹部
【図１】
2008114876.tif 000003
【図２】
2008114876.tif 000004
【図３】
2008114876.tif 000005
【図４】
2008114876.tif 000006
【図５】
2008114876.tif 000007
【図６】
2008114876.tif 000008
【図７】
2008114876.tif 000009
【図８】
2008114876.tif 000010
【図９】
2008114876.tif 000011
【図１０】
2008114876.tif 000012
【図１１】
2008114876.tif 000013
【図１２】
2008114876.tif 000014
【図１３】
2008114876.tif 000015
【図１４】
2008114876.tif 000016